(57)【特許請求の範囲】
【請求項１】
無線送受信ユニット（ＷＴＲＵ）であって、
マルチフレームの第１のフレームの第１のタイムスロットで第１の信号を受信するように構成された受信機であって、前記第１の信号は、前記第１のタイムスロットで第１のＷＴＲＵおよび第２のＷＴＲＵの多重化を可能にする第１の直交サブチャネル（ＯＳＣ）および第２のＯＳＣを備えている、受信機を備え、
前記第１の信号の前記第１のＯＳＣは、前記第１のＷＴＲＵに対するアイドル期間に関連付けられた情報を含み、および、前記第１の信号の前記第２のＯＳＣは、前記第２のＷＴＲＵに対する制御情報を含み、
前記受信機は、前記マルチフレームの第２のフレームの第２のタイムスロットで第２の信号を受信するようにさらに構成され、前記第２の信号の第１のＯＳＣは、前記第１のＷＴＲＵに対する制御情報を含み、および、前記第２の信号の第２のＯＳＣは、前記第２のＷＴＲＵに対するアイドル期間に関連付けられた情報を含み、
前記ＷＴＲＵは、前記第２の信号の前記第１のＯＳＣにおける前記制御情報を復号するように構成されたプロセッサをさらに備えている
ことを特徴とするＷＴＲＵ。
【請求項２】
前記第２の信号の前記第１のＯＳＣにおける前記制御情報、または、前記第１の信号の前記第２のＯＳＣにおける前記制御情報は、低速付随制御チャネル（ＳＡＣＣＨ）フレームまたは高速付随制御チャネル（ＦＡＣＣＨ）フレームであることを特徴とする請求項１に記載のＷＴＲＵ。
【請求項３】
前記マルチフレームは、２つのフレームに低速付随制御チャネル（ＳＡＣＣＨ）情報を含んでいることを特徴とする請求項１に記載のＷＴＲＵ。
【請求項４】
前記マルチフレームは、レイヤ３ペイロード情報および２つのレイヤ１パラメータを含んでいることを特徴とする請求項１に記載のＷＴＲＵ。
【請求項５】
前記受信機は、前記第２の信号の前記第１のＯＳＣにおける前記制御情報が、前記第１の信号の前記第１のＯＳＣにおけるアイドルフレームと交換される信号を受信するようにさらに構成されていることを特徴とする請求項１に記載のＷＴＲＵ。
【請求項６】
前記受信機は、前記第２の信号の前記第１のＯＳＣにおける前記制御情報が、前記第１の信号の前記第１のＯＳＣにおける隣接タイムスロットにシフトされる信号を受信するようにさらに構成されていることを特徴とする請求項１に記載のＷＴＲＵ。
【請求項７】
基地局（ＢＳ）であって、
マルチフレームの第１のタイムスロットで第１の信号を送信するように構成された送信機であって、前記第１の信号は、前記第１のタイムスロットで、第１の無線送受信ユニット（ＷＴＲＵ）および第２のＷＴＲＵの多重化を可能にする第１の直交サブチャネル（ＯＳＣ）および第２のＯＳＣを備えている、送信機を備え、
前記送信機は、前記マルチフレームの第１のフレームを送信するようにさらに構成されており、前記第１の信号の前記第１のＯＳＣは、前記第１のＷＴＲＵに対するアイドル期間に関連付けられた情報を含み、および、前記第１の信号の前記第２のＯＳＣは、前記第２のＷＴＲＵに対する制御情報を含み、
前記送信機は、前記マルチフレームの第２のフレームの第２のタイムスロットで第２の信号を送信するように構成されており、前記第２の信号の第１のＯＳＣは、前記第１のＷＴＲＵに対する制御情報を含み、および、前記第２の信号の第２のＯＳＣは、前記第２のＷＴＲＵに対するアイドル期間に関連付けられた情報を含む
ことを特徴とするＢＳ。
【請求項８】
前記第２の信号の前記第１のＯＳＣにおける前記制御情報または前記第１の信号の前記第２のＯＳＣにおける前記制御情報は、低速付随制御チャネル（ＳＡＣＣＨ）フレームまたは高速付随制御チャネル（ＦＡＣＣＨ）フレームであることを特徴とする請求項７に記載のＢＳ。
【請求項９】
前記マルチフレームは、２つのフレームに低速付随制御チャネル（ＳＡＣＣＨ）情報を含んでいることを特徴とする請求項７に記載のＢＳ。
【請求項１０】
前記マルチフレームは、レイヤ３ペイロード情報および２つのレイヤ１パラメータを含んでいることを特徴とする請求項７に記載のＢＳ。
【請求項１１】
前記送信機は、前記第２の信号の前記第１のＯＳＣにおける前記制御情報が前記第１の信号の前記第１のＯＳＣにおけるアイドルフレームと交換される、前記第１の信号または前記第２の信号を送信するように構成されていることを特徴とする請求項７に記載のＢＳ。
【請求項１２】
前記送信機は、前記第２の信号の前記第１のＯＳＣにおける前記制御情報が前記第１の信号の前記第１のＯＳＣにおける隣接タイムスロットにシフトされる前記第１の信号または前記第２の信号を送信するように構成されていることを特徴とする請求項７に記載のＢＳ。
【請求項１３】
制御チャネルの動作のための方法であって、
マルチフレームの第１のタイムスロットで第１の信号を送信するステップであって、前記第１の信号は、前記第１のタイムスロットで第１の無線送受信ユニット（ＷＴＲＵ）および第２のＷＴＲＵの多重化を可能にする第１の直交サブチャネル（ＯＳＣ）および第２のＯＳＣを備えている、ステップと、
前記マルチフレームの第１の単一フレームを送信するステップであって、前記第１の信号の前記第１のＯＳＣは、前記第１のＷＴＲＵに対するアイドル期間に関連付けられた情報を含み、および、前記第１の信号の前記第２のＯＳＣは、前記第２のＷＴＲＵに対する制御情報を含んでいる、ステップと、
前記マルチフレームの第２のフレームの第２のタイムスロットで第２の信号を送信するステップであって、前記第２の信号の第１のＯＳＣは、前記第１のＷＴＲＵに対する制御情報を含み、および、前記第２の信号の第２のＯＳＣは、前記第２のＷＴＲＵに対するアイドル期間に関連付けられた情報を含んでいる、ステップと
を備えたことを特徴とする方法。
【請求項１４】
前記第２の信号の前記第１のＯＳＣにおける前記制御情報または前記第１の信号の前記第２のＯＳＣにおける前記制御情報は、低速付随制御チャネル（ＳＡＣＣＨ）フレームまたは高速付随制御チャネル（ＦＡＣＣＨ）フレームであることを特徴とする請求項１３に記載の方法。
【請求項１５】
前記マルチフレームは、２つのフレームに低速付随制御チャネル（ＳＡＣＣＨ）情報を含んでいることを特徴とする請求項１３に記載の方法。
【請求項１６】
前記マルチフレームは、レイヤ３ペイロード情報および２つのレイヤ１パラメータを含んでいることを特徴とする請求項１３に記載の方法。
【請求項１７】
前記第２の信号の前記第１のＯＳＣにおける前記制御情報は、前記第１の信号の前記第１のＯＳＣにおけるアイドルフレームと交換されることを特徴とする請求項１３に記載の方法。
【請求項１８】
前記第２の信号の前記第１のＯＳＣにおける前記制御情報は、前記第１の信号の前記第１のＯＳＣにおける隣接タイムスロットにシフトされることを特徴とする請求項１３に記載の方法。
【発明の詳細な説明】
【技術分野】
【０００１】
本出願は、無線通信に関する。
【背景技術】
【０００２】
ＭＵＲＯＳ（Ｍｕｌｔｉｐｌｅ  Ｕｓｅｒｓ  Ｒｅｕｓｉｎｇ  Ｏｎｅ  Ｓｌｏｔ）技術またはＶＡＭＯＳ（Ｖｏｉｃｅ  Ｓｅｒｖｉｃｅｓ  Ｏｖｅｒ  Ａｄａｐｔｉｖｅ  Ｍｕｌｔｉｕｓｅｒ  Ｃｈａｎｎｅｌｓ  Ｏｎ  Ｏｎｅ  Ｓｌｏｔ）と呼ばれる、複数のユーザがタイムスロット式無線システムにおいて単一のタイムスロットを再利用できるようにするための様々な手法が開発されている。こうした１つの手法は、直交サブチャネル（ＯＳＣ）の使用を伴う。ＯＳＣの概念によって、無線ネットワークは、同じ無線リソース（すなわち、タイムスロット）およびＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）チャネルが割り振られる２つのＷＴＲＵ（無線送受信ユニット）を多重化することができ、したがって、いくつかの使用可能なトランシーバ（ＴＲＸ）ハードウェアおよび場合によってはスペクトルリソースについて、容量を大幅に向上することができる。さらに、こうした特徴は、フルレートおよびハーフレートのチャネルの両方について、音声容量の向上を提供することが期待される。
【０００３】
ＵＬ（アップリンク）方向で、サブチャネルは、無相関トレーニング系列を使用して分けられる。第１のサブチャネルは、既存のトレーニング系列を使用し、第２のサブチャネルは、新しいトレーニング系列を使用する。あるいは、両方のサブチャネルにおいて新しいトレーニング系列のみを使用することができる。ＯＳＣの使用によって、ＷＴＲＵおよびネットワークに対するごくわずかな影響で音声容量が増大する。ＯＳＣは、すべてのＧＭＳＫ（Ｇａｕｓｓｉａｎ  Ｍｉｎｉｍｕｍ  Ｓｈｉｆｔ  Ｋｅｙｉｎｇ）変調トラフィックチャネル（例えば、ＴＣＨ／Ｆ（フルレートトラフィックチャネル）、ＴＣＨ／Ｈ（ハーフレートトラフィックチャネル）、関連のＳＡＣＣＨ（Ｓｌｏｗ  Ａｓｓｏｃｉａｔｅｄ  Ｃｏｎｔｒｏｌ  Ｃｈａｎｎｅｌ）、およびＦＡＣＣＨ（Ｆａｓｔ  Ａｓｓｏｃｉ
ａｔｅｄ  Ｃｏｎｔｒｏｌ  Ｃｈａｎｎｅｌ）など）に透過的に適用され得る。
【０００４】
ＯＳＣは、２つの回線交換型音声チャネル（すなわち、２つの個別の呼）を同じ無線リソースに割り振ることによって音声容量を増大させる。信号の変調をＧＭＳＫからＱＰＳＫ（Ｑｕａｄｒａｔｕｒｅ  Ｐｈａｓｅ  Ｓｈｉｆｔ  Ｋｅｙｉｎｇ）に変更することによって（この場合、１変調シンボルは２ビットを表す）、ＱＰＳＫコンスタレーションのＸ軸上の１人のユーザおよびＱＰＳＫコンスタレーションのＹ軸上の第２のユーザの２人のユーザを分けることは比較的容易である。単一の信号は、２人の異なるユーザのための情報を含み、各ユーザに各自のサブチャネルが割り振られる。
【０００５】
ＤＬ（ダウンリンク）において、ＯＳＣは、例えばＥＧＰＲＳ（ｅｎｈａｎｃｅｄ  ｇｅｎｅｒａｌ  ｐａｃｋｅｔ  ｒａｄｉｏ  ｓｅｒｖｉｃｅ）に使用される８−ＰＳＫ配置のサブセットとすることができるＱＰＳＫコンスタレーションを使用したＢＳ（基地局）において実現される。変調されたビットは、第１のサブチャネル（ＯＳＣ−０）がＭＳＢ（最上位ビット）にマッピングされ、第２のサブチャネル（ＯＳＣ−１）がＬＳＢ（最下位ビット）にマッピングされるように、ＱＰＳＫシンボル（「ｄｉｂｉｔｓ」）にマッピングされる。両方のサブチャネルは、Ａ５／１、Ａ５／２、またはＡ５／３など、個々の暗号化アルゴリズムを使用することができる。シンボル回転についてのいくつかのオプションを、異なる基準によって検討し、最適化することができる。例えば、３π／８のシンボル回転は、ＥＧＰＲＳに対応し、π／４のシンボル回転は、π／４−ＱＰＳＫに対応し、π／２のシンボル回転は、ＧＭＳＫを開始するためのサブチャネルを提供することができる。あるいは、ＱＰＳＫ信号配置は、少なくとも１つのサブチャネルにおいて従来のＧＭＳＫ変調シンボル系列に類似するように設計され得る。
【０００６】
いくつかの理由は、ＭＵＲＯＳ／ＶＡＭＯＳ変調フォーマットの選択として、ＱＰＳＫを支持する。まず、ＱＰＳＫは、頑強なＳＮＲ（信号対雑音比）対ＢＥＲ（ビット誤り率）のパフォーマンスを提供する。第２に、ＱＰＳＫは、既存の８−ＰＳＫ対応ＲＦハードウェアを介して実現され得る。第３に、ＱＰＳＫバーストフォーマットは、Ｒｅｌｅａｓｅ  ７  ＥＧＰＲＳ−２  ｆｏｒ  Ｐａｃｋｅｔ−Ｓｗｉｔｃｈｅｄ  Ｓｅｒｖｉｃｅｓに導入されている。
【０００７】
ダウンリンクにおいてＭＵＲＯＳ／ＶＡＭＯＳを実施する代替の手法は、タイムスロット当たり２つの個々のＧＭＳＫ変調バーストを送信することによって、２つのＷＴＲＵを多重化することを伴う。この手法は、ＩＳＩ（符号間干渉）のレベル増加をもたらすため、ＤＡＲＰ（Ｄｏｗｎｌｉｎｋ Ａｄｖａｎｃｅｄ Ｒｅｃｅｉｖｅｒ Ｐｅｆｏｒｍａｎｃｅ）フェーズＩまたはフェーズＩＩなどの干渉除去技術が受信機において必要である。通常、ＯＳＣモードのオペレーションの間、ＢＳ（基地局）は、ＤＣＡ（動的チャネル割振り）方式によるＤＬおよびＵＬ電力制御を適用して、同時に割り当てられたサブチャネルの受信されたダウンリンクおよび／またはアップリンクの信号レベルの差を、例えば±１０ｄＢウィンドウ内に保持する。目的の値は、多重化が行われる受信機のタイプおよび他の基準に依存し得る。アップリンクにおいて、各ＷＴＲＵは、適切なトレーニング系列を用いる通常のＧＭＳＫ送信機を使用することができる。ＢＳは、空間時間干渉除去結合（ＳＴＩＲＣ：space time interference rejection combining）受信機、逐次干渉除去（ＳＩＣ）受信機など、受信機の干渉除去またはジョイント検出タイプを使用して、異なるＷＴＲＵによって使用される直交サブチャネルを受信することができる。
【０００８】
ＯＳＣは、ＤＬ、ＵＬのいずれか、または両方において、周波数ホッピングまたはユーザダイバーシティ方式との関連で使用することができる。例えば、フレーム単位で、サブチャネルを異なるユーザの対に割り振ることができ、タイムスロット単位の対は、例えばいくつかのフレーム期間またはブロック期間など、長期にわたってパターンで繰り返され得る。
【０００９】
統計多重化は、２つを超えるＷＴＲＵが２つの使用可能なサブチャネルを使用して送信を行うことができるようにするために使用され得る。例えば、４つのＷＴＲＵは、割り当てられたフレームにおける２つのサブチャネルのうちの１つを使用することによって、６フレーム期間にわたって音声信号を送受信することができる。
【００１０】
α−ＱＰＳＫ変調方式と呼ばれる基本概念の拡張が導入されている。α−ＱＰＳＫ変調方式は、ＱＰＳＫシンボル配置の帯域内および直交成分についての電力制御の簡単な手段を提案する。αパラメータを使用することによって、そのタイムスロットにおける第１対第２のサブチャネルに割り振られたＭＵＲＯＳ／ＶＡＭＯＳタイムスロット上の相対電力は、互いに対して±１０〜１５ｄＢの範囲で調整され得る。この手法を使用して、コンポジットＭＵＲＯＳ／ＶＡＭＯＳ送信に対して送信機によって割り振られる絶対電力は、もはやユーザごとに正確に１／２の電力（相対的なサブチャネル１の電力／サブチャネル２の電力が０ｄＢに同等）である必要はない。例えば、ＭＵＲＯＳ／ＶＡＭＯＳサブチャネル（ユーザ）のうちの一方が他のユーザよりよい信号状態であるときなど、他のより望ましい電力比を達成することができ、−３ｄＢ（または、それ以上）の電力比がより弱いＭＵＲＯＳ／ＶＡＭＯＳユーザについてより良いパフォーマンスをもたらすであろう。そのタイムスロットにおけるＭＵＲＯＳ／ＶＡＭＯＳコンポジット信号の絶対送信電力設定と共に、α−ＱＰＳＫ概念は、ＭＵＲＯＳ／ＶＡＭＯＳユーザの相対電力制御成分をもたらすことになる。
【００１１】
この基本のＯＳＣ提案の可能な別の拡張は、ＧＳＭマルチフレーム構造における少なくともいくつかのフレームの期間にわたって２人を超えるユーザの統計多重化に概念を拡張することによって、ユーザの単純な固定の１対を超える対を、すべてのフレームにおいてまったく同じ割振りバーストに多重化することを提案する。所与の時点（すなわち、任意の「バースト」）に、２人以下のユーザがＯＳＣバーストの２つの使用可能なサブチャネルを使用して送信を行う。しかし、ＨＲ（ハーフレート）コーデックを使用するとき（２つのフレームのうちの一方を送信／受信することが必要な任意のＷＴＲＵ）、２人を超えるユーザの統計多重化を達成することができる。例えば、４人のユーザは、バースト当たり２つの使用可能なＯＳＣのうちの１つを使用し、割り当てられたフレームにおいてのみ送信を行うことによって、任意の所与の６フレーム期間にわたってそのＨＲ音声信号を送信／受信することができる。
【００１２】
基準のＯＳＣ提案に対するさらに可能な変更は、ＧＳＭ周波数ホッピング（ＦＨ）技術の再利用は、ＯＳＣおよび非ＯＳＣのユーザについて、干渉の平均化、およびＤＴＸ（不連続送信）の利得の両方をもたらし、利得は、そのセルにおいてＷＴＲＵ間に比較的等しく広がることを提案する。第１の可能な変更と同様に、任意の所与のバースト（すなわち、タイムスロット）において、２人以下のユーザは、ＯＳＣバーストの２つの使用可能なサブチャネルを使用して送信を行う。しかし、異なる周波数ホッピング系列／ＭＡＩＯ（Ｍｏｂｉｌｅ−Ａｌｌｏｃａｔｉｏｎ−Ｉｎｄｅｘ−Ｏｆｆｓｅｔ）を、そのセルにおいて異なるＷＴＲＵに割り当てることによって、任意のＷＴＲＵは、バーストの次の出現時に別のＷＴＲＵと対となることができる。このパターンは、ＦＨリストに応じて、いくつかのフレームの後、繰り返される。これは、ＤＬおよびＵＬの方向の両方に適用可能であることに留意されたい。
【００１３】
ＵＬ方向に関して、統計多重化ハンドセットの周波数ホッピング概念を含むＭＵＲＯＳ／ＶＡＭＯＳ提案および／または拡張は、同じタイムスロットにおける異なるトレーニング系列を用いる通常のＧＭＳＫ送信を使用して、ＢＳが２つの送信の間を区別できるようにすることを提案する。２つのハンドセットのそれぞれは、ＱＰＳＫを使用し得るＯＳＣ  ＤＬとは異なり、従来のＧＭＳＫ変調バーストを送信する。ＢＳは、ＳＴＩＲＣまたはＳＩＣ受信機のいずれかを使用して、異なるＷＴＲＵによって使用される直交サブチャネルを受信すると想定する。
【００１４】
上述した提案は、相互に排他的ではない。これらの提案は、既存の機能を使用して、または新しい能力をＷＴＲＵ設計に導入することによってＭＵＲＯＳ／ＶＡＭＯＳの目標をどのように達成するかの点のみが異なる。
【００１５】
Ｒｅｌｅａｓｅ  ６  ＤＡＲＰ−ｔｙｐｅ  Ｉの受信機のハンドセットへの実装を指す上記の第２の技術提案に関して、ＭＵＲＯＳ／ＶＡＭＯＳは、同じ物理チャネルまたはタイムスロットにわたって音声サービスが２人のユーザに同時に提供されてもよいことを提案する。これらの多重化が行われるユーザの一方は、従来のユーザとすることができる。従来のＷＴＲＵは、ＳＡＩＣ（単一アンテナ干渉除去）またはＤＡＲＰサポート実装または実装無しとすることができる。同様に、新しいタイプのＭＵＲＯＳ／ＶＡＭＯＳ機器は、ＤＡＲＰのような干渉タイプ除去受信機に依存する。さらに、新しいＭＵＲＯＳ／ＶＡＭＯＳ機器は、拡張されたトレーニング系列のような特徴をサポートすることが期待され得る。
【００１６】
既存のＧＳＭ仕様に従って、ＴＣＨ／Ｆ（トラフィックチャネルフルレート）がいったんＷＴＲＵに割り当てられると、ＢＳおよびＷＴＲＵは、２６フレームマルチフレームプロトコルに従って、物理層において互いの通信を開始する。無線関連のパラメータおよびシグナリングを伝えるために、ＴＣＨは、常にＳＡＣＣＨ（Ｓｌｏｗ Ａｓｓｏｃｉａｔｅｄ Ｃｏｎｔｒｏｌ Ｃｈａｎｎｅｌ）に関連付けられる。さらに、ＷＴＲＵとネットワークとの間のサービス関連のシグナリングを伝えるために、ＦＡＣＣＨ（Ｆａｓｔ Ａｓｓｏｃｉａｔｅｄ Ｃｏｎｔｒｏｌ Ｃｈａｎｎｅｌ）も存在する。ＳＡＣＣＨにおける通常のメッセージは、ＤＬにおいてはシステム情報であり、ＵＬにおいては測定レポートである。ＦＡＣＣＨは通常、ＷＴＲＵがＴＣＨ上で動作しているとき、ハンドオーバー、および割当てメッセージに使用される。ＷＴＲＵは、必要に応じて、トラフィックリソースから盗用し、シグナリングのためにそれらを使用するようにスティーリングモード（Stealing Mode）でも動作し得る。
【００１７】
図１は、既存のＧＳＭ標準による２６フレームマルチフレームにおけるＴＣＨおよびＳＡＣＣＨのマッピングを示す。また、ハーフレート構成の性質のために、ＴＣＨ／Ｆのものと同じ観測がハーフレート構成にも適用されることに留意されたい。マルチフレームごとにＳＡＣＣＨの一度の出現およびアイドルフレームの一度の出現がある。ＭＵＲＯＳ／ＶＡＭＯＳのオペレーションにおいて、１つのタイムスロットに多重化が行われる２つ（またはそれ以上）のＷＴＲＵのそれぞれは、指示されたマルチフレーム構成に従う必要が依然としてある。
【発明の概要】
【発明が解決しようとする課題】
【００１８】
トラフィックチャネルにおけるＭＵＲＯＳ／ＶＡＭＯＳ受信機の頑強な符号化および復号のパフォーマンスのために、関連の制御チャネル（すなわちＳＡＣＣＨおよびＦＡＣＣＨ）は、音声マルチフレームにインターレースされ、実際の音声バースト前に、適切に復号不可能になる。従来のＧＳＭネットワークにおいて、ＲＬＴ（無線リンクタイムアウト）と呼ばれるＧＳＭにおけるよく知られている無線リンク失敗カウンタ（radio link failure counter）に従ってＷＴＲＵとＢＳとの間の実際のリンクがＳＡＣＣＨによって監督されることを実現することがかなり重要である。これは、エンティティ（ＷＴＲＵまたはＢＳ）は、実際の音声バースト復号品質が許容できない閾値を下回るときではなく、むしろＳＡＣＣＨの復号の連続した失敗後、アクティブな接続を解除すべきであることを意味する。実際のＲＬＴ値は、ネットワークによってＷＴＲＵにシグナリングされることに留意されたい。したがって、ＭＵＲＯＳ／ＶＡＭＯＳの出現で、音声マルチフレームにおける関連の制御チャネルの復号パフォーマンス、およびそれらが無線リンク失敗基準と親密に繋がっていることが限定要因となる。したがって、信号が弱い、または干渉が強い状態でさえ、ＭＵＲＯＳ／ＶＡＭＯＳ操作を可能にするために、ＳＡＣＣＨのパフォーマンスを向上させることが必要である。
【課題を解決するための手段】
【００１９】
ＢＳは、第１のＯＳＣ（直交サブチャネル）の制御チャネルフレームが第２のＯＳＣのアイドルフレームと重なるように、アイドルフレームおよび制御チャネルフレームをそれぞれ含む第１のＯＳＣおよび第２のＯＳＣを含むマルチフレームを生成するように構成されるチャネルアロケータと、マルチフレームを送信するように構成される送信機とを含み得る。ＷＴＲＵは、第１のＯＳＣの制御チャネルフレームが第２のＯＳＣのアイドルフレームと重なるように、アイドルフレームおよび制御チャネルフレームをそれぞれ含む第１のＯＳＣおよび第２のＯＳＣを含むマルチフレームを受信するように構成される受信機を含み得る。制御チャネルフレームは、１つまたは複数のスロット分シフトされ得る。マルチフレームは、アイドルフレームと交換される制御チャネルフレームを含み得る。
【００２０】
例として提供される以下の説明を添付の図面と併せ読めば、より詳細な理解が得られよう。
【図面の簡単な説明】
【００２１】
【図１】既存のＧＳＭ標準による２６フレームマルチフレームにおけるＴＣＨおよびＳＡＣＣＨのマッピングを示す図である。
【図２】ＭＵＲＯＳ／ＶＡＭＯＳの文脈で、受信側のＷＴＲＵを示すＦＡＣＣＨまたはＳＡＣＣＨにおける制御データの送信のためのシナリオ例を示す図である。
【図３】マルチフレームの不整合の例を示す図である。
【図４】ＳＡＣＣＨ送信のシナリオ例を示す図である。
【図５】従来のＷＴＲＵおよびＭＵＲＯＳ／ＶＡＭＯＳ対応ＷＴＲＵとのマルチフレームの不整合のシナリオ例を示す図である。
【図６】ハーフレートのシナリオに適用されるマルチフレームの不整合の例を示す図である。
【図７】ＷＴＲＵが別のＷＴＲＵのために確保されたサブチャネルにおいてＦＡＣＣＨを受信する方法を示すフロー図である。
【図８】レイヤー１パラメータを使用して、ＯＳＣの文脈で、ＷＴＲＵを対象とした制御情報を送信するための手法例を示す図である。
【図９】ＭＵＲＯＳ／ＶＡＭＯＳリソースを使用して１つを超えるＷＴＲＵ宛の共通のＳＡＣＣＨを使用するマルチフレームフォーマット例を示す図である。
【図１０】ＷＴＲＵおよびＢＳの機能ブロック図である。
【発明を実施するための形態】
【００２２】
本明細書で使用する場合、「ＷＴＲＵ（無線送受信ユニット）」という用語は、それだけには限定されないが、ＵＥ（ユーザ機器）、移動局、固定または携帯式の加入者ユニット、ＭＳ（移動局）、ページャ、セルラー電話、ＰＤＡ（携帯情報端末）、コンピュータ、または無線環境において動作することができる他の任意のタイプのユーザ装置を含む。
本明細書で使用する場合、「基地局」という用語は、それだけには限定されないが、Ｎｏｄｅ−Ｂ、サイトコントローラ、ＡＰ（アクセスポイント）、または無線環境において動作することができる他の任意のタイプのインターフェイス装置を含む。
【００２３】
本明細書において開示される主題は、ＭＵＲＯＳ／ＶＡＭＯＳの概念のすべての実現に適用可能である。これらは、例えば、（１）ＱＰＳＫ変調を含む変調によるＯＳＣ多重化信号、（２）例えば、ＤＡＲＰ（Ｄｏｗｎｌｉｎｋ Ａｄｖａｎｃｅｄ Ｒｅｃｅｉｖｅｒ Ｐｅｆｏｒｍａｎｃｅ）技術を使用する干渉除去受信機に依存する信号、および（３）干渉除去受信機に依存する信号とＯＳＣとの組合せを使用する手法に適用可能である。さらに、特定の変調タイプを示す例が提供されるかもしれないが、本明細書に記載された原理は、ＧＭＳＫ（Ｇａｕｓｓｉａｎ  Ｍｉｎｉｍｕｍ  Ｓｈｉｆｔ  Ｋｅｙｉｎｇ）、８−ＰＳＫ（８−Ｐｈａｓｅ  Ｓｈｉｆｔ  Ｋｅｙｉｎｇ）、１６−ＱＡＭ（Ｑｕａｄｒａｔｕｒｅ  Ａｍｐｌｉｔｕｄｅ  Ｍｏｄｕｌａｔｉｏｎ）、３２ＱＡＭ、および他の変調タイプを含めて、他の変調タイプにも同じく適用され得る。
【００２４】
ＧＥＲＡＮマルチフレームにおけるＳＡＣＣＨの割振りを向上させるために、可変のＳＡＣＣＨの不整合が使用され得る。例えば、可変のＳＡＣＣＨの不整合は、ＭＵＲＯＳ／ＶＡＭＯＳ対応ＷＴＲＵまたは従来のＷＴＲＵによる多重化を伴うシナリオで使用され得る。この方法によれば、単一のユーザに全タイムスロットリソースを排他的に使用する機会を提供するために、ＭＵＲＯＳ／ＶＡＭＯＳで多重化が行われるユーザについてのＳＡＣＣＨの出現がずらされ、またはシフトされ得る。あるいは、ＳＡＣＣＨの出現は、より良い制御チャネル復号パフォーマンスを達成するために、送信の機会を提供するようにずらされ、またはシフトされ得る。以下の例は、フルレートおよびハーフレートのシナリオに適用される。
【００２５】
図２は、ＭＵＲＯＳ／ＶＡＭＯＳの文脈で、ＦＡＣＣＨまたはＳＡＣＣＨにおける制御データの可変の不整合を使用した送信のシナリオ例を示す。図２は、第１のＷＴＲＵ２０２および第２のＷＴＲＵ２０４と通信するＢＳ２００を示す。第１のＷＴＲＵ２０２は、２０６で、リソースの割当て、登録、または上述したような他のセットアップ手順を実行する。第２のＷＴＲＵ２０４は、２０８で同様の手順を実行する。セットアップ手順２０６、２０８の実行は、上述したように、ＢＳ２００からＷＴＲＵ２０２、２０４への信号の通信を伴い、信号は、その後のＳＡＣＣＨ／ＦＡＣＣＨの送信における、ＷＴＲＵとＷＴＲＵ２０２、２０４に対応する識別子との間の関係を示す。第１のＷＴＲＵ２０２は、２１０で、あるタイムスロットにおいて第１のＯＳＣでＢＳ２００からデータを受信する。第２のＷＴＲＵ２０４は、２１２で、そのタイムスロットにおいて第２のＯＳＣでＢＳ２００からデータを受信する。ＢＳ２００は、上述したように、ＦＡＣＣＨまたはＳＡＣＣＨ送信を生成し、２１４、２１６で第１のＷＴＲＵ２０２および第２のＷＴＲＵ２０４の両方に送信する。
【００２６】
図３は、ＯＳＣマルチフレームの不整合の例の図である。この例において、ＭＵＲＯＳ／ＶＡＭＯＳ対応ＷＴＲＵではＳＡＣＣＨとアイドルフレームの出現のマッピングを交換しても良い。図３を参照すると、第１のＷＴＲＵは、ＭＵＲＯＳ／ＶＡＭＯＳリソースを使用したとき、第１のＯＳＣマルチフレーム３１０を使用し得る。第２のＷＴＲＵは、同じＭＵＲＯＳ／ＶＡＭＯＳリソースを使用したとき、ＯＳＣマルチフレーム３２０を使用し得る。第１のＯＳＣマルチフレームにおいて、ＳＡＣＣＨフレームは、スロット１２にあり、アイドルフレームは、スロット２５にある。第２のＯＳＣマルチフレーム３２０において、ＳＡＣＣＨフレームおよびアイドルフレームは、ＳＡＣＣＨフレームがスロット２５にあり、アイドルフレームがスロット１２にあるように交換される。ＳＡＣＣＨおよびアイドルフレームのこの交換によって、両方のＷＴＲＵは、ＳＡＣＣＨを復号できるようになり、信号が弱い、および／または干渉が強い状態におけるＭＵＲＯＳ／ＶＡＭＯＳ操作を可能にする。
【００２７】
図４は、ＳＡＣＣＨ送信のシナリオ４００の例の図である。上述したＯＳＣマルチフレームの不整合に基づいて、第１のＷＴＲＵに対するＳＡＣＣＨの送信は、タイムスロット当たりの全電力、またはＧＭＳＫなどのより頑強な変調タイプを使用して実行され得る。ＢＳ４１０は、ＭＵＲＯＳ／ＶＡＭＯＳ対応ＷＴＲＵ４２０、４３０に、例えば、チャネル割当てフェーズ中、マルチフレーム構成４４０において、ＳＡＣＣＨフレームおよびアイドルフレームが交換されることを通知する。次いでＢＳ４１０は、４５０で、各マルチフレームにおいて、２つのＯＳＣフレームのそれぞれでＳＡＣＣＨフレームを送信し、１つは４６０での第１のＷＴＲＵのものであり、もう１つは４７０での第２のＷＴＲＵのものである。その際、ＷＴＲＵの一方が常に、このフレームはアイドルのものであることを想定するため、ＢＳが、ＱＰＳＫバーストに対してより高い電力でＳＡＣＣＨフレーム中にＧＭＳＫバーストを送信することを選択できることを認識することが重要である。
【００２８】
２つのＭＵＲＯＳ／ＶＡＭＯＳ対応ＷＴＲＵは、同じタイムスロットにおいて多重化が行われる場合、適用されたＳＡＣＣＨ／アイドル構成について、ネットワークによって通知されなければならない。従来のＷＴＲＵは、ＭＵＲＯＳ／ＶＡＭＯＳ対応ＷＴＲＵと共にＭＵＲＯＳ／ＶＡＭＯＳリソースを使用するために割り当てられるとき、従来のマルチフレームフォーマット（フレーム１３のＳＡＣＣＨ）を使用しなければならず、一方、ＭＵＲＯＳ／ＶＡＭＯＳ対応ＷＴＲＵは、変更されたフォーマット（フレーム２６のＳＡＣＣＨ）を使用する。
【００２９】
図５は、従来のＷＴＲＵおよびＭＵＲＯＳ／ＶＡＭＯＳ対応ＷＴＲＵとの無線通信システムにおけるフルレートマルチフレームの不整合のシナリオ５００の例である。図５を参照すると、ＷＴＲＵ１  ５１０およびＷＴＲＵ２  ５２０は、チャネルマルチフレーム上で対となる２つのＷＴＲＵであり、この場合、ＷＴＲＵ１  ５１０は、従来のＷＴＲＵであり、ＷＴＲＵ２  ５２０は、ＭＵＲＯＳ／ＶＡＭＯＳ対応ＷＴＲＵである。図５に示されるように、ＷＴＲＵ１  ５１０のＳＡＣＣＨフレームは、フレーム１４に順方向にシフトされ、ＷＴＲＵ２  ５２０のＳＡＣＣＨフレームは、フレーム２５にシフトされる。ＳＡＣＣＨの示されたフレームシフトは、例示のためのものにすぎず、シフトは可変であると理解されたい。さらに、シフトのフレーム数は、マルチフレーム間で変わり得る。図６は、上述したような類似の原理を適用するハーフレートのシナリオに適応され得るマルチフレームの不整合の例である。
【００３０】
ＳＡＣＣＨパフォーマンスを向上させる代替の方法は、ＴＣＨフレームと比較して、ＳＡＣＣＨフレームの送信電力レベルの電力オフセットを適用することを含む。電力オフセットは、１つまたは複数の参照フレームに比べて、構成可能なまたは固定されたルールベースの電力オフセットであってもよい。
【００３１】
さらに別の代替の方法において、ＳＡＣＣＨパフォーマンスは、無線リンク失敗基準が関連の制御チャネルに依存しない、または少なくとも排他的には依存しないように、従来のＧＳＭネットワークで使用される無線リンク失敗基準を変更することによって改良することができる。例えば、ＲＬＴ基準は、呼が切断される前のＲＬＴの失敗の数についての閾値として使用され得る。この例において、ＲＬＴ基準は、トラフィックチャネル上で観測されたようなＢＥＲ（ビット誤り率）または他の代表的な品質測定基準など、失われたＳＡＣＣＨ復号および／またはリンク品質と照合するように変更することができる。ＭＵＲＯＳ／ＶＡＭＯＳ環境において動作するＷＴＲＵのためにＲＬＴ値を増加させることにより、ＲＬＴ基準を緩めることができる。
【００３２】
別の実施形態において、制御チャネル送信のために異なるＷＴＲＵに割り当てられるＯＳＣ間で共有するリソースを示すために、スティーリングフラグを使用することができる。図７は、ＷＴＲＵが別のＷＴＲＵのために確保されたサブチャネルにおいてＦＡＣＣＨを受信する方法７００のフロー図である。ＷＴＲＵは、７０１で、フレームを受信する。フレームは、音声フレームまたはＦＡＣＣＨ制御フレームとすることができる。ＷＴＲＵは、７０２で、ＦＡＣＣＨ送信を示すためにスティーリングフラグが設定されているかどうかをチェックするために、フレームを分析する。スティーリングフラグが設定されていない場合、ＷＴＲＵは、７０４で、ＦＡＣＣＨ送信について復号を行わない。ＦＡＣＣＨ送信を示すためにスティーリングフラグが設定されている場合、ＷＴＲＵは、７０８で、多重化が行われる１つまたは複数のＷＴＲＵのサブチャネル上でＦＡＣＣＨ送信を復号する。代わりに、ＷＴＲＵは、それ自体のサブチャネルおよび１つまたは複数の他のＷＴＲＵのサブチャネル上でＦＡＣＣＨ送信を復号することができる。別の代替において、他のＯＳＣから盗用するリソースを、関連の制御チャネル（ＳＡＣＣＨまたはＦＡＣＣＨ）をＷＴＲＵに運ぶために使用することができる。
【００３３】
スティーリングフラグは、ＦＡＣＣＨの存在だけではなく、ＦＡＣＣＨが運ばれるＯＳＣを示すこともできる。例えば、ＱＰＳＫまたは１６−ＱＡＭが使用される場合、２つのスティーリングフラグビットは、次の構成に基づいて、ＯＳＣを示すことができる。「００」は音声フレームを示し、「０１」は第１のＯＳＣにおけるＦＡＣＣＨを示し、「１１」は、第２のＯＳＣにおけるＦＡＣＣＨを示す。具体的な符号点は、それらの意味付けが実装上の詳細であるので、当然、変更されてもよい。
【００３４】
あるいは、第１のＷＴＲＵのＦＡＣＣＨが第２のＷＴＲＵに割り振られたＯＳＣ上で実行され得るときを決定するために、ルールを定義することができる。例えば、第１のＷＴＲＵは、Ｎ回の出現ごとに、または予め定められた割当てパターンに従って、第２のＷＴＲＵのＯＳＣを復号することによって、それに宛てられたＦＡＣＣＨを検索することができる。ＷＴＲＵは、個々のＷＴＲＵまたはＷＴＲＵのグループについてのマルチフレーム構造が、他のＯＳＣに対応するものと比べてオフセットされているとき、そのためのメッセージがそこに運ばれるかどうかを決定するために、他のＯＳＣにおけるＳＡＣＣＨ送信を復号することができる。
【００３５】
ＳＡＣＣＨまたはＦＡＣＣＨメッセージの受信側ＷＴＲＵを示す識別子は、レイヤー１、レイヤー２、またはレイヤー３のメッセージで実現することができ、これらは個々に、または組合せで使用される。例えば、識別子の一部は、レイヤー２で運ばれ、識別子の別の部分は、レイヤー３で運ばれてもよい。より特定の例として、スティーリングフラグは、ＷＴＲＵに対してＦＡＣＣＨの存在、および／またはＦＡＣＣＨが受信されるべきサブチャネルを示すことができる。ＦＡＣＣＨメッセージ自体は、次いで、ＷＴＲＵを受信側と識別する上記の実施形態のうちの任意のものに従ってインジケータを含むこともできる。
【００３６】
図８は、レイヤー１パラメータを使用して、ＯＳＣの文脈で、ＷＴＲＵを対象とした制御情報を送信するための手法例のフロー図である。ＤＬにおいて、ＢＳは、ＳＡＣＣＨの寿命のほとんどにわたってシステム情報メッセージをＷＴＲＵに送信する。ほとんどの例において、システム情報メッセージに含まれるレイヤー３の情報は、ＯＳＣを使用して同じタイムスロット上で多重化が行われるすべてのＷＴＲＵについて同じである。しかし、ＳＡＣＣＨに使用されるＬＡＰＤｍフレームで送信される２つのレイヤー１パラメータ（ＴＡ（タイミングアドバンス）およびＰＣ（電力コマンド））もある。ＳＡＣＣＨでは、レイヤー１によってこれら２つのパラメータが２オクテットとしてＬＡＰＤｍフレーム上に添付される。したがって、システム情報メッセージのレイヤー３の内容は、タイムスロットに多重化が行われる複数のＷＴＲＵについて同じとすることができるが、レイヤー１パラメータは、異なるＷＴＲＵについて異なり得る。
【００３７】
図８は、交互のＳＡＣＣＨフレームにおいて、レイヤー１パラメータがＯＳＣの対でＷＴＲＵに送信されることを示す。第１のＷＴＲＵ８０２は、８０６で、リソースの割当て、登録、またはＢＳ８００との通信を調整するための他のセットアップ手順を実行する。第２のＷＴＲＵ８０４は、８０８で同様の手順を実行する。セットアップ手順の実行８０６、８０８は、以下でさらに詳しく説明するように、レイヤー１パラメータの受信および解釈を調整するために、ＢＳ８００からＷＴＲＵ８０２、８０４への信号の送信を伴い得る。例えば、セットアップ手順は、ＳＡＣＣＨフレームが２つのＷＴＲＵ８０２、８０４についてのレイヤー１パラメータを交互に含むことを示すデータがＢＳ８００からＷＴＲＵ８０２、８０４に送信されることを伴い得る。第１のＷＴＲＵ８０２は、８１０で、あるタイムスロットにおいて第１のＯＳＣでＢＳ８００からデータを受信する。第２のＷＴＲＵ８０４は、８１２で、そのタイムスロットにおいて第２のＯＳＣでＢＳ８００からデータを受信する。ＢＳ８００は、対象の受信側が第１のＷＴＲＵである状態で、上述したように、ＴＡおよびＰＣのパラメータなどのレイヤー１パラメータを含む第１のＳＡＣＣＨ送信を生成し、フレームは、８１４で、第１のＷＴＲＵ８０２によって受信される。第１のＷＴＲＵ８０２は、８１６で、レイヤー１パラメータを含むフレームにおける制御データを処理し、それに応じて反応する。第２のＷＴＲＵは、第１のＳＡＣＣＨフレーム（図示せず）を受信し、処理してもよく、またはしなくてもよいが、フレームに含まれるレイヤー１パラメータを無視するように構成される。ＢＳ８００は、第２のＷＴＲＵ８０４のためのレイヤー１パラメータを含むように次のＳＡＣＣＨフレームを生成し、８１８で第２のＳＡＣＣＨフレームを送信する。第２のＳＡＣＣＨフレームが受信され、８２０でレイヤー１パラメータが第２のＷＴＲＵ８０４によって処理され、それに応じて第２のＷＴＲＵ８０４が反応する。第２のＳＡＣＣＨフレームは、第１のＷＴＲＵ（図示せず）によって受信され、または処理されてもよく、またはされなくてもよいが、第１のＷＴＲＵ８０２は、フレームに含まれるレイヤー１パラメータを無視するように構成され得る。この方法は次いで、２つのＷＴＲＵ８０２、８０４のレイヤー１パラメータを含むＳＡＣＣＨ送信を交互させながら続行し得る。
【００３８】
図８に示すような交互のＳＡＣＣＨ送信に加えて、ＳＡＣＣＨ送信は、様々な他の順序および送信パターンに従って送信され得る。図８に示されるように、ＳＡＣＣＨの順序と対象の受信側との間の関連付けのルールは、図８に示されるように、セットアップ手順中にシグナリングされてもよい。あるいは、ルールは、既知のパラメータに基づいて暗黙的に導出されてもよい。
【００３９】
さらに、特定のＳＡＣＣＨの出現を単一のＷＴＲＵまたはグループに関連付けるルールが使用されてもよい。例えば、第１のＷＴＲＵは、予め定められた出現時にＳＡＣＣＨを復号し得るが、これらの出現時に受信されるレイヤー１パラメータを破棄する。というのは、これらは、第２のＷＴＲＵのためのものであるからである。第１のＷＴＲＵは、他の予め定められた出現時にＳＡＣＣＨも復号するが、これらの他の出現時に受信されるレイヤー１パラメータに影響を及ぼさない。予め定められた出現の組は、重なっても重ならなくてもよい。
【００４０】
図９は、ＭＵＲＯＳ／ＶＡＭＯＳタイムスロットを使用して１つを超えるＷＴＲＵ宛の共通のＳＡＣＣＨを使用するマルチフレームフォーマット例９００の図である。マルチフレーム９００は、２６のフレームを含み、その一部は、制御チャネルフレーム９１０である。各フレームは、８つのタイムスロットに分割され、各タイムスロットは、例えば第１のＯＳＣ９２０および第２のＯＳＣ９３０など、複数のサブチャネルに分割され得る。
【００４１】
第１の例において、ＴＡおよびＰＣを含むレイヤー１の情報など、特定のＷＴＲＵに固有の情報は、制御チャネルフレーム９１０のいくつかの出現において多重化され得る。単一のＳＡＣＣＨまたはＦＡＣＣＨのみが必要とされるため、使用可能なチャネルビットの数は、増加したチャネル符号化のために二倍にされる。あるいは、同じ数のチャネル符号化ビットは、ＧＭＳＫなど、より頑強な変調タイプを使用して達成され得る。例えばＷＴＲＵ１には第１のＯＳＣ９２０を、そしてＷＴＲＵ２には第２のＯＳＣ９３０を使用して、この方法を適用することにより、あるＷＴＲＵ宛のいくつかの数の個々のＳＡＣＣＨを、排他的にまたは組合せで、１つを超えるＷＴＲＵ宛のいくつかの数の共通ＳＡＣＣＨとインターレースする、またはスケジュールすることができる。あるいは、ＭＵＲＯＳ／ＶＡＭＯＳのオペレーションに関連して、反復されるＳＡＣＣＨおよび／または反復されるＦＡＣＣＨの特徴８１０が使用されてもよい。
【００４２】
あるいは、ＭＵＲＯＳ／ＶＡＭＯＳの操作に関連して、マルチフレーム（または期間）当たりの従来のＧＳＭ音声マルチフレームより多くの出現が、関連の制御チャネル９１０に使用される。送信の機会数の増加は、次いで、ＷＴＲＵにより多くの復号の機会を提供する（およびしたがって無線リンクタイムアウト基準を満たさない機会を増加させる）ため、またはチャネル符号化を増加させ、復号後の頑強さを向上させるために使用され得る。
【００４３】
さらに別の代替において、ＭＵＲＯＳ／ＶＡＭＯＳモードのオペレーションに関連して使用されるとき、増分冗長、反復および／またはチェース合成法（Chase Combining method）を、関連の制御チャネルに使用することができる。これらは、ＳＡＣＣＨまたはＦＡＣＣＨの連続した出現後に使用され得る。
【００４４】
図１０は、上記の方法に従って構成されたＷＴＲＵ１０００およびＢＳ１０５０の機能ブロック図である。ＷＴＲＵ１０００は、受信機１００２、送信機１００３、およびアンテナ１００４と通信するプロセッサ１００１を含む。プロセッサ１００１は、上述したように、ずらされたまたはシフトされたＦＡＣＣＨおよびＳＡＣＣＨのメッセージを処理するように構成され得る。ＢＳ１０５０は、受信機１０５２、送信機１０５３、アンテナ１０５４、およびチャネルアロケータ１０５５と通信するプロセッサ１０５１を含む。チャネルアロケータ１０５５は、プロセッサ１０５１の一部とすることができ、またはプロセッサ１０５１と通信する個別のユニットとすることができる。チャネルアロケータ１０５５は、上述したように、ずらされたまたはシフトされたＦＡＣＣＨおよびＳＡＣＣＨのメッセージを生成するように構成することができる。ＷＴＲＵ１０００は、マルチモード操作での使用のために、プロセッサ１００１およびアンテナ１００４と通信する追加の送信機および受信機（図示せず）、および上述した他の構成要素を含み得る。ＷＴＲＵ１０００は、ディスプレイ、キーパッド、マイクロフォン、スピーカ、または他の構成要素など、追加のオプションの構成要素（図示せず）を含み得る。
【００４５】
実施形態
１．マルチフレームを受信するように構成される受信機と、
マルチフレームを復号するように構成されるプロセッサと
を含むＷＴＲＵ（無線送受信ユニット）。
２．マルチフレームは、第１のＯＳＣ（直交サブチャネル）および第２のＯＳＣを含み、各ＯＳＣは、アイドルフレームおよび制御チャネルフレームを含み、第１のＯＳＣの制御チャネルフレームは、第２のＯＳＣのアイドルフレームと重なり、プロセッサは、第１または第２のＯＳＣのうちの一方を復号し、制御チャネルフレームを回復するように構成される実施形態１に記載のＷＴＲＵ。
３．制御チャネルフレームは、ＳＡＣＣＨ（Ｓｌｏｗ Ａｓｓｏｃｉａｔｅｄ Ｃｏｎｔｒｏｌ Ｃｈａｎｎｅｌ）フレームまたはＦＡＣＣＨ（Ｆａｓｔ Ａｓｓｏｃｉａｔｅｄ Ｃｏｎｔｒｏｌ Ｃｈａｎｎｅｌ）フレームである実施形態２に記載のＷＴＲＵ。
４．受信機は、２つのフレームにＳＡＣＣＨ情報を含むマルチフレームを受信するように構成される前記実施形態のいずれか１つに記載のＷＴＲＵ。
５．受信機は、レイヤー３ペイロード情報および２つのレイヤー１パラメータを含むマルチフレームを受信するように構成される前記実施形態のいずれか１つに記載のＷＴＲＵ。
６．制御チャネルフレームは、同じＯＳＣにおいてアイドルフレームと交換される前記実施形態のいずれか１つに記載のＷＴＲＵ。
７．制御チャネルフレームは、同じＯＳＣにおいて隣接するタイムスロットにシフトされる前記実施形態のいずれか１つに記載のＷＴＲＵ。
８．マルチフレームは、ハーフレート構成で受信される前記実施形態のいずれか１つに記載のＷＴＲＵ。
９．マルチフレームは、フルレート構成で受信される前記実施形態のいずれか１つに記載のＷＴＲＵ。
１０．マルチフレームを生成するように構成されるチャネルアロケータと、
生成されたマルチフレームを送信するように構成される送信機と
を含むＢＳ（基地局）。
１１．生成されたマルチフレームは、第１のＯＳＣ（直交サブチャネル）および第２のＯＳＣを含み、各ＯＳＣは、アイドルフレームおよび制御チャネルフレームを含み、第１のＯＳＣの制御チャネルフレームは、第２のＯＳＣのアイドルフレームと重なる実施形態１０に記載のＢＳ。
１２．制御チャネルフレームは、ＳＡＣＣＨ（Ｓｌｏｗ Ａｓｓｏｃｉａｔｅｄ Ｃｏｎｔｒｏｌ Ｃｈａｎｎｅｌ）フレームまたはＦＡＣＣＨ（Ｆａｓｔ Ａｓｓｏｃｉａｔｅｄ Ｃｏｎｔｒｏｌ Ｃｈａｎｎｅｌ）フレームである実施形態１１に記載のＢＳ。
１３．送信機は、２つのフレームにＳＡＣＣＨ情報を含むマルチフレームを送信するように構成される実施形態１０〜１２のいずれか１つに記載のＢＳ。
１４．チャネルアロケータは、レイヤー３ペイロード情報および２つのレイヤー１パラメータを含むマルチフレームを生成するように構成される実施形態１０〜１３のいずれか１つに記載のＢＳ。
１５．チャネルアロケータは、同じＯＳＣにおいて制御チャネルフレームをアイドルフレームと交換するように構成される実施形態１０〜１４のいずれか１つに記載のＢＳ。
１６．チャネルアロケータは、同じＯＳＣにおいて制御チャネルフレームを隣接するタイムスロットにシフトするように構成される実施形態１０〜１５のいずれか１つに記載のＢＳ。
１７．マルチフレームは、ハーフレート構成で生成される実施形態１０〜１６のいずれか１つに記載のＢＳ。
１８．マルチフレームは、フルレート構成で生成される実施形態１０〜１７のいずれか１つに記載のＢＳ。
１９．マルチフレームは、ハーフレート構成で送信される実施形態１０〜１８のいずれか１つに記載のＢＳ。
２０．マルチフレームは、フルレート構成で送信される実施形態１０〜１９のいずれか１つに記載のＢＳ。
２１．マルチフレームを生成することと、
生成されたマルチフレームを送信することと
を含む制御チャネル操作のための方法。
２２．生成されたマルチフレームは、第１のＯＳＣ（直交サブチャネル）および第２のＯＳＣを含み、各ＯＳＣは、アイドルフレームおよび制御チャネルフレームを含み、第１のＯＳＣの制御チャネルフレームは、第２のＯＳＣのアイドルフレームと重なる実施形態２１に記載の方法。
２３．制御チャネルフレームは、ＳＡＣＣＨ（Ｓｌｏｗ Ａｓｓｏｃｉａｔｅｄ Ｃｏｎｔｒｏｌ Ｃｈａｎｎｅｌ）フレームまたはＦＡＣＣＨ（Ｆａｓｔ Ａｓｓｏｃｉａｔｅｄ Ｃｏｎｔｒｏｌ Ｃｈａｎｎｅｌ）フレームである実施形態２２に記載の方法。
２４．生成されたマルチフレームは、２つのフレームにＳＡＣＣＨ情報を含む実施形態２１〜２３のいずれか１つに記載の方法。
２５．生成されたマルチフレームは、レイヤー３ペイロード情報および２つのレイヤー１パラメータを含む実施形態２１〜２４のいずれか１つに記載の方法。
２６．生成されたマルチフレームの制御チャネルフレームは、同じＯＳＣにおいてアイドルフレームと交換される実施形態２１〜２５のいずれか１つに記載の方法。
２７．生成されたマルチフレームの制御チャネルフレームは、同じＯＳＣにおいて隣接するタイムスロットにシフトされる実施形態２１〜２６のいずれか１つに記載の方法。
２８．マルチフレームは、ハーフレート構成で生成される実施形態２１〜２７のいずれか１つに記載の方法。
２９．マルチフレームは、フルレート構成で生成される実施形態２１〜２８のいずれか１つに記載の方法。
３０．マルチフレームは、ハーフレート構成で送信される実施形態２１〜２９のいずれか１つに記載の方法。
３１．マルチフレームは、フルレート構成で送信される実施形態２１〜３０のいずれか１つに記載の方法。
３２．マルチフレームを受信することと、
マルチフレームを復号することと
を含む制御チャネル操作のための方法。
３３．マルチフレームは、第１のＯＳＣ（直交サブチャネル）および第２のＯＳＣを含み、各ＯＳＣは、アイドルフレームおよび制御チャネルフレームを含み、第１のＯＳＣの制御チャネルフレームは、第２のＯＳＣのアイドルフレームと重なり、プロセッサは、第１または第２のＯＳＣのうちの一方を復号し、制御チャネルフレームを回復するように構成される実施形態３２に記載の方法。
３４．制御チャネルフレームは、ＳＡＣＣＨ（Ｓｌｏｗ Ａｓｓｏｃｉａｔｅｄ Ｃｏｎｔｒｏｌ Ｃｈａｎｎｅｌ）フレームまたはＦＡＣＣＨ（Ｆａｓｔ Ａｓｓｏｃｉａｔｅｄ Ｃｏｎｔｒｏｌ Ｃｈａｎｎｅｌ）フレームである実施形態３３に記載の方法。
３５．受信機は、２つのフレームにＳＡＣＣＨ情報を含むマルチフレームを受信するように構成される実施形態３２〜３４のいずれか１つに記載の方法。
３６．受信機は、レイヤー３ペイロード情報および２つのレイヤー１パラメータを含むマルチフレームを受信するように構成される実施形態３２〜３５のいずれか１つに記載の方法。
３７．制御チャネルフレームは、同じＯＳＣにおいてアイドルフレームと交換される実施形態３２〜３６のいずれか１つに記載の方法。
３８．制御チャネルフレームは、同じＯＳＣにおいて隣接するタイムスロットにシフトされる実施形態３２〜３７のいずれか１つに記載の方法。
３９．マルチフレームは、ハーフレート構成で受信される実施形態３２〜３８のいずれか１つに記載の方法。
４０．マルチフレームは、フルレート構成で受信される実施形態３２〜３９のいずれか１つに記載の方法。
【００４６】
上記には特徴および要素が特定の組合せで記載されているが、各特徴または要素は、他の特徴および要素無しに単独で、または他の特徴および要素の有無にかかわらず、様々な組合せで使用することができる。本明細書に提供した方法またはフロー図は、汎用コンピュータまたはプロセッサによって実行するために、コンピュータ可読記憶媒体に組み込まれるコンピュータプログラム、ソフトウェア、またはファームウェアにおいて実施することができる。コンピュータ可読記憶媒体の例には、ＲＯＭ（読取り専用メモリ）、ＲＡＭ（ランダムアクセスメモリ）、レジスタ、キャッシュメモリ、半導体記憶素子、内部ハードディスクおよび取外し式ディスクなどの磁気媒体、光磁気媒体、およびＣＤ−ＲＯＭやＤＶＤ（デジタル多目的ディスク）などの光媒体などがある。
【００４７】
適したプロセッサは、例として、汎用プロセッサ、特殊プロセッサ、従来のプロセッサ、ＤＳＰ（デジタル信号プロセッサ）、複数のマイクロプロセッサ、１つまたは複数のマイクロプロセッサおよびＤＳＰコア、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態機械などがある。
【００４８】
ソフトウェアに関連するプロセッサは、ＷＴＲＵ（無線送受信ユニット）、ＵＥ（ユーザ機器）、端末、基地局、ＲＮＣ（無線ネットワークコントローラ）、または任意のホストコンピュータで使用するための無線周波数送受信機を実施するために使用され得る。ＷＴＲＵは、カメラ、ビデオカメラモジュール、テレビ電話、スピーカフォン、振動装置、スピーカ、マイクロフォン、テレビ送受信機、ハンドフリーヘッドセット、キーボード、Ｂｌｕｅｔｈｏｏｔｈ（登録商標）モジュール、ＦＭ（周波数変調）無線ユニット、ＬＣＤ（液晶ディスプレイ）表示装置、ＯＬＥＤ（有機発光ダイオード）表示装置、デジタル音楽プレーヤ、メディアプレーヤ、ビデオゲームプレーヤモジュール、インターネットブラウザ、および／または任意のＷＬＡＮ（無線ローカルエリアネットワーク）またはＵＷＡ（超広帯域）モジュールなど、ハードウェアおよび／またはソフトウェアで実施されるモジュールと共に使用することができる。
【図１】
0005789277.tif 000002
【図２】
0005789277.tif 000003
【図３】
0005789277.tif 000004
【図４】
0005789277.tif 000005
【図５】
0005789277.tif 000006
【図６】
0005789277.tif 000007
【図７】
0005789277.tif 000008
【図８】
0005789277.tif 000009
【図９】
0005789277.tif 000010
【図１０】
0005789277.tif 000011